(57)【要約】【課題】  造影糸の構造の観点から、ガーゼからの離脱を極力防止した造影糸を提供する。【解決手段】  芯線７と、その芯線７の外周に巻回された側線５とを備え、芯線７および側線５のうち少なくとも一方が放射線不透過性の素線からなる造影糸１において、側線５は複数の素線５ａ，５ｂ，５ｃ，５ｄ，５ｅ，９ａ及び９ｂを撚った撚線から構成され、撚線の撚り方向を、側線５の芯線７に対する巻き方向と同一方向とした。【選択図】  図２
2019201885.tif 000002
【特許請求の範囲】
【請求項１】
芯線と、その芯線の外周に巻回された側線とを備え、
前記芯線および前記側線のうち少なくとも一方が放射線不透過性の素線からなる造影糸において、
前記側線は複数の第１の素線を撚った第１の撚線から構成され、第１の撚線の撚り方向を、前記側線の前記芯線に対する巻き方向と同一方向としたことを特徴とする造影糸。
【請求項２】
前記第１の撚線の外周に形成された凸凹部は、その凸部及び凹部が前記芯線の長軸方向に対して略垂直な方向に沿って延び、かつ前記長軸方向に並行していることを特徴とする請求項１に記載の造影糸。
【請求項３】
前記芯線は、複数の第２の素線を撚った第２の撚線から構成されていることを特徴とする請求項１または請求項２に記載の造影糸。
【請求項４】
前記芯線は、その横断面視において凹部を有し、
前記側線は、前記凹部に収納されていることを特徴とする請求項１乃至請求項３の何れかに記載の造影糸。
【請求項５】
前記側線は、前記芯線に溶着されていることを特徴とする請求項１乃至請求項４の何れかに記載の造影糸。
【発明の詳細な説明】
【技術分野】
【０００１】
本発明は、経糸と緯糸とを織ることにより構成されたガーゼ等の被覆用品に使用される、放射線不透過性の造影糸に関する。
【背景技術】
【０００２】
従来、外科手術等で患者の血液や体液を吸収させるために使用されるガーゼは、手術後に体内から取り除かれるものであるが、手術中に血液等に染まってしまうことが多く、患者の臓器等と区別し難しくなるため、ガーゼを患者の体内へ残したまま縫合して手術を終了させてしまうおそれがあった。
【０００３】
そのため、手術の際には、放射線不透過性の造影糸を備えたガーゼが使用されている。このようなガーゼを使用すれば、手術後のＸ線撮影によって、ガーゼに備えられた放射線不透過性の造影糸がX線写真に写るため、手術中に使用したガーゼが患者の体内に残留しているか否かを容易に確認することができるのである。
【０００４】
一般に、このようなガーゼとしては、ガーゼを構成する多数の糸中の数本を、例えば、硫酸バリウム等のＸ線造影剤を含有した、シリコーン系樹脂等のプラスチック樹脂からなる放射線不透過性の造影糸に置換したものが使用されている。例えば、特許文献１には、複数本のＸ線造影糸５と、それらのＸ線造影糸５の間に配置された経糸１２と、複数のＸ線造影糸５及び経糸１２を挟むように両側に配置された複数本の密に配置された経糸１１とからなるガーゼが記載されている（特許文献１の図１〜図６等参照）。
【０００５】
また、特許文献１には、本文献に記載のガーゼによれば、Ｘ線造影糸５がガーゼから抜け落ちにくくなる点も記載されている（特許文献１の発明の効果の欄等参照）。
【先行技術文献】
【特許文献】
【０００６】
【特許文献１】特開２００７−２０７３３号公報
【発明の概要】
【発明が解決しようとする課題】
【０００７】
しかしながら、特許文献１に記載のガーゼにおいても、手術中に造影糸がガーゼから抜け落ちてしまうことがあった。
【０００８】
また、特許文献１に記載のガーゼは、ガーゼ全体の構成において、造影糸がガーゼから抜け落ちることを防止しているが、造影糸と経糸と緯糸との組み合わせが複雑であり、かかるガーゼを製造することにかなりの困難性を有するという問題があった。
【０００９】
本発明は、従来技術が有する上述した問題に対応してなされたものであり、造影糸の構造の観点から、ガーゼからの離脱を極力防止した造影糸を提供することを目的とする。
【課題を解決するための手段】
【００１０】
上述した課題を解決するために、本発明の第１の態様は、芯線と、その芯線の外周に巻回された側線とを備え、前記芯線および前記側線のうち少なくとも一方が放射線不透過性の素線からなる造影糸において、前記側線は複数の第１の素線を撚った第１の撚線から構成され、第１の撚線の撚り方向を、前記側線の前記芯線に対する巻き方向と同一方向としたことを特徴とする。
【００１１】
また、本発明の第２の態様は、第１の態様の造影糸において、前記第１の撚線の外周に形成された凸凹部は、その凸部及び凹部が前記芯線の長軸方向に対して略垂直な方向に沿って延び、かつ前記長軸方向に並行していることを特徴とする。
【００１２】
また、本発明の第３の態様は、第１の態様または第２の態様の造影糸において、前記芯線は、複数の第２の素線を撚った第２の撚線から構成されていることを特徴とする。
【００１３】
また、本発明の第４の態様は、第１の態様乃至第３の態様の何れかの造影糸において、前記芯線は、その横断面視において凹部を有し、前記側線は、前記凹部に収納されていることを特徴とする。
【００１４】
さらに、本発明の第５の態様は、第１の態様乃至第４の態様の何れかの造影糸において、前記側線は、前記芯線に溶着されていることを特徴とする。
【発明の効果】
【００１５】
本発明の第１の態様によれば、芯線と、その芯線の外周に巻回された側線とを備え、芯線および側線のうち少なくとも一方が放射線不透過性の素線からなる造影糸において、側線は複数の第１の素線を撚った第１の撚線から構成され、第１の撚線の撚り方向を、側線の芯線に対する巻き方向と同一方向としたので、第１の撚線の外周に形成された凸凹部は、その凸部及び凹部が芯線の長軸方向に対して垂直傾向に並行し、造影糸がガーゼから離脱することを防止することができる。
【００１６】
また、本発明の第２の態様によれば、第１の態様の造影糸において、第１の撚線の外周に形成された凸凹部は、その凸部及び凹部が芯線の長軸方向に対して略垂直な方向に沿って延び、かつ長軸方向に並行しているので、造影糸がガーゼから離脱することをさらに防止することができる。
【００１７】
また、本発明の第３の態様によれば、第１の態様または第２の態様の造影糸において、芯線は、複数の第２の素線を撚った第２の撚線から構成されているので、第２の撚線の外周に形成された凸凹部によって、造影糸がガーゼから離脱することをさらに防止することができる。
【００１８】
また、本発明の第４の態様によれば、第１の態様乃至第３の態様の何れかの造影糸において、芯線は、その横断面視において凹部を有し、側線は、凹部に収納されているので、側線が芯線からズレることが防止され、造影糸がガーゼから離脱することをさらに防止することができる。
【００１９】
また、本発明の第５の態様によれば、第１の態様乃至第４の態様の何れかの造影糸において、側線は、芯線に溶着されているので、側線が芯線に固定され、造影糸がガーゼから離脱することをさらに防止することができる。
【図面の簡単な説明】
【００２０】
【図１】本発明の第１実施形態の造影糸を使用したガーゼの概略平面図である。
【図２】第１実施形態の造影糸の拡大側面図である。
【図３】第２実施形態の造影糸の拡大側面図である。
【図４】第３実施形態の造影糸の拡大側面図である。
【図５】第４実施形態の造影糸の拡大横断面図である。
【図６】第５実施形態の造影糸の拡大横断面図である。
【図７】第６実施形態の造影糸の拡大横断面図である。
【図８】第７実施形態の造影糸の拡大横断面図である。
【発明を実施するための形態】
【００２１】
以下、本発明の実施形態について、図面を参照して説明する。
【００２２】
（第１実施形態）
先ず、本発明の第１実施形態について説明する。図１は、本発明の第１実施形態の造影糸を使用したガーゼの概略平面図であり、図２は、第１実施形態の造影糸の拡大側面図である。
【００２３】
図１に示すように、患者の外科手術等に使用する被覆用品としてのガーゼ１００は、複数本の緯糸（よこいと）２ａ、２ｂ、２ｃ、２ｄ、２ｅ、２ｆ、２ｇ及び後述する造影糸４が、複数の経糸（たていと）３ａ、３ｂ、３ｃ、３ｄ、３ｅ、３ｆ、３ｇ及び後述する造影糸１の表面と裏面とに交互に交差することによって織られて構成されている。
【００２４】
また、ガーゼ１００は、経糸３ｂと経糸３ｃとの間に、経糸３ｂに隣接して造影糸１ａ（１）及び１ｐ（１）を配置し、経糸３ｃと経糸３ｄとの間に、経糸３ｃに隣接して造影糸１ｂ（１）及び１ｑ（１）を配置し、経糸３ｄと経糸３ｅとの間に、経糸３ｄに隣接して造影糸１ｃ（１）及び１ｒ（１）を配置し、経糸３ｅと経糸３ｆとの間に、経糸３ｅに隣接して造影糸１ｄ（１）及び１ｓ（１）を配置し、さらには、経糸３ｆと経糸３ｇとの間に、経糸３ｆに隣接して造影糸１ｅ（１）及び１ｔ（１）を配置している。
【００２５】
また、ガーゼ１００は、緯糸２ｂと緯糸２ｃとの間に、緯糸２ｂに隣接して造影糸４ａ（４）及び４ｐ（４）を配置し、緯糸２ｃと緯糸２ｄとの間に、緯糸２ｃに隣接して造影糸４ｂ（４）及び４ｑ（４）を配置し、緯糸２ｄと緯糸２ｅとの間に、緯糸２ｄに隣接して造影糸４ｃ（４）及び４ｒ（４）を配置し、緯糸２ｅと緯糸２ｆとの間に、緯糸２ｅに隣接して造影糸４ｄ（４）及び４ｓ（４）を配置し、さらには、緯糸２ｆと緯糸２ｇとの間に、緯糸２ｆに隣接して造影糸４ｅ（４）及び４ｔ（４）を配置している。
【００２６】
なお、本実施形態においては、造影糸を緯糸または経糸に隣接して２本配置しているが、造影糸の配置状態及び配置本数については、ガーゼの仕様、またはＸ線に対する視認性により任意に設定することができる。
【００２７】
また、図１におけるガーゼ１００は、紙面の都合上、その一部を記載したものであり、発明を理解し易くするために、糸間の空隙を実際のガーゼよりも誇張して拡げている。
【００２８】
また、図１は、発明を理解し易くするために、造影糸の領域をハッチングで図示しており、造影糸の経糸と緯糸においてハッチングの向きを異ならせている。
【００２９】
さらに、経糸としての造影糸１ａ、１ｂ、１ｃ、１ｄ、１ｅ、１ｐ、１ｑ、１ｒ、１ｓ及び１ｔ、並びに、緯糸としての造影糸４ａ、４ｂ、４ｃ、４ｄ、４ｅ、４ｐ、４ｑ、４ｒ、４ｓ及び４ｔは、それぞれ異なる仕様の造影糸を使用しても良いが、本実施形態においては、ガーゼ１００の製造のし易さ及び本発明の説明の都合上、すべて同じ仕様の造影糸１として説明する。
【００３０】
図２に示すように、造影糸１は、芯線７と、その芯線７の外周に疎巻きに巻回された側線５とから構成されている。
【００３１】
なお、本実施形態の造影糸１は、放射線不透過性を有する必要があり、芯線７及び側線５のうち、少なくとも一方が放射線不透過性である必要があるが、本実施形態では、後述するように、側線５が放射線不透過性を有するものとして説明する。もちろん、芯線７が放射線不透過性を有するものであっても良い。
【００３２】
芯線７は、長尺状の一本の素線から構成されている。芯線７の材料としては、ステンレス鋼、Ｎｉ−Ｔｉ系合金、コバルト系合金等の金属材料、またはポリアリレート繊維等のポリエステル系繊維等の樹脂材料であって、生体適合性を有する材料であれば特に限定されないが、本実施形態ではポリアリレート繊維である１束のベクトラン（登録商標）が使用されている。
【００３３】
なお、芯線７は、中実の長尺状の素線で構成されても良く、中空の長尺状の素線で構成されても良い。
【００３４】
側線５（以下、「撚線５」と記す）は、複数の素線（本発明の「第１の素線」に相当）を撚った撚線５（本発明の「第１の撚線」に相当）から構成され、撚線５は、本実施形態では、５本の素線５ａ、５ｂ、５ｃ、５ｄ及び５ｅ（本発明の「第１の素線」に相当）並びに、２本の放射線不透過性の素線９ａ及び９ｂ（本発明の「第１の素線」に相当）を撚って構成されたものである。
【００３５】
また、撚線５の撚り方向は、図面左方向に向かって右巻き（以下、「Ｚ撚り」と記す）であり、撚線５の芯線７に対する巻き方向は、図面左方向に向かって右巻き（以下、「Ｚ巻き」と記す）であり、撚線５の撚り方向と撚線５の芯線７に対する巻き方向とは同一方向である。
【００３６】
また、撚線５は、その外形によって凸凹部５ｗが形成され、凸凹部５ｗは撚線５の全外周面に形成されている。また、凸凹部５ｗは、その凸部及び凹部が芯線７の長軸方向に対して垂直傾向に並行している。
【００３７】
撚線５を構成する５本の素線５ａ、５ｂ、５ｃ、５ｄ及び５ｅの材料としては、ステンレス鋼、Ｎｉ−Ｔｉ系合金等の金属素線及びポリ塩化ビニル、ポリエチレン、ポリプロピレン、ポリエステル等の樹脂材料であって、生体適合性を有する材料であれば特に限定されないが、本実施形態ではポリ塩化ビニルが使用されている。
【００３８】
また、撚線５を構成する２本の放射線不透過性の素線９ａ及び９ｂの材料としては、金、銀、プラチナ合金、タングステン等の金属材料、または硫酸バリウム等の放射線不透過性の材料を含有したポリ塩化ビニル、ポリエチレン、ポリプロピレン、ポリエステル等の樹脂材料であって、生体適合性を有する材料であれば特に限定されないが、本実施形態では硫酸バリウムを含有するポリ塩化ビニルが使用されている。
【００３９】
本実施形態の造影糸１によれば、芯線７と、その芯線７の外周に巻回された側線５とを備え、芯線７および側線５のうち少なくとも一方が放射線不透過性の素線からなり、側線５は、複数の素線５ａ、５ｂ、５ｃ、５ｄ及び５ｅ、並びに、放射線不透過性の素線９ａ及び９ｂを撚った撚線５から構成され、撚線５の撚り方向を、側線５の芯線に対する巻き方向と同一方向としたので、撚線５の外周に形成された凸凹部は、その凸部及び凹部が芯線の長軸方向に対して垂直傾向に並行し、造影糸１がガーゼ１００から離脱することを防止することができる。
【００４０】
なお、本実施形態では、側線である撚線５は、７本の素線からなる撚線としたが、素線の本数は７本に限らず、撚線を構成することができる本数であれば２本以上の素線からなるものでも良い。但し、本実施形態の凸凹部５ｗの効果の観点からは、可能な限り多い本数で撚線を構成する方が良い。
【００４１】
また、本実施形態において、側線５は、芯線７の外周に疎巻きに巻回されているものとして説明してきたが、側線５は、芯線７の外周に密巻きに巻回されても良い。その場合は、側線５を芯線７の外周に疎巻きに巻回したときよりも、造影糸のガーゼからの離脱防止の効果は若干低下する。
【００４２】
（第２実施形態）
次に、本発明の第２実施形態について説明する。図３は、第２実施形態の造影糸の拡大側面図である。
【００４３】
以下、本発明の第２実施形態を説明するが、本実施形態の造影糸が配置されたガーゼは、第１実施形態のガーゼ１００と同様である為説明を省略し、第１実施形態と共通する部分については、同じ符号を付し説明を省略する。
【００４４】
図３に示すように、造影糸１１は、芯線７と、その芯線７の外周に疎巻きに巻回された側線１５とから構成されている。
【００４５】
なお、本実施形態の造影糸１１も、放射線不透過性を有する必要があり、芯線７及び側線１５のうち、少なくとも一方が放射線不透過性である必要があるが、本実施形態では、後述するように、側線１５が放射線不透過性を有するものとして説明する。また、本実施形態においても、芯線７が放射線不透過性を有するものであっても良い。
【００４６】
側線１５（以下、「撚線１５」と記す）は、複数の素線（本発明の「第１の素線」に相当）を撚った撚線１５（本発明の「第１の撚線」に相当）から構成され、撚線１５は、本実施形態では、５本の素線１５ａ、１５ｂ、１５ｃ、１５ｄ及び１５ｅ（本発明の「第１の素線」に相当）並びに、２本の放射線不透過性の素線１９ａ及び１９ｂ（本発明の「第１の素線」に相当）を撚って構成されたものである。
【００４７】
また、撚線１５の撚り方向は、Ｚ撚りであり、撚線１５の芯線７に対する巻き方向は、Ｚ巻きであり、撚線１５の撚り方向と撚線１５の芯線７に対する巻き方向とは同一方向である。
【００４８】
また、撚線１５は、その外形によって凸凹部１５ｗが形成され、凸凹部１５ｗは撚線１５の全外周面に形成されている。また、凸凹部１５ｗは、凸部及び凹部が芯線７の長軸方向に対して略垂直な方向に沿って延び、かつ長軸方向に並行している。
【００４９】
また、撚線１５を構成する５本の素線１５ａ、１５ｂ、１５ｃ、１５ｄ及び１５ｅの材料としては、第１実施形態の撚線５の素線５ａ、５ｂ、５ｃ、５ｄ及び５ｅと同様の材料が使用可能であり、本実施形態ではポリ塩化ビニルが使用されている。
【００５０】
また、撚線１５を構成する２本の放射線不透過性の素線１９ａ及び１９ｂの材料としては、第１実施形態の撚線５の素線９ａ及び９ｂと同様の材料が使用可能であり、本実施形態では硫酸バリウムを含有するポリ塩化ビニルが使用されている。
【００５１】
本実施形態の造影糸１１によれば、芯線７と、その芯線７の外周に巻回された側線１５とを備え、芯線７および側線１５のうち少なくとも一方が放射線不透過性の素線からなり、側線１５は、複数の素線１５ａ、１５ｂ、１５ｃ、１５ｄ及び１５ｅ、並びに、放射線不透過性の素線１９ａ及び１９ｂを撚った撚線５から構成され、撚線１５の外周に形成された凸凹部は、その凸部及び凹部が芯線７の長軸方向に対して略垂直な方向に沿って延び、かつ長軸方向に並行しているので、造影糸１１がガーゼ１００から離脱することをさらに防止することができる。
【００５２】
なお、本実施形態でも、側線である撚線１５は、７本の素線からなる撚線としたが、素線の本数は７本に限らず、撚線を構成することができる本数であれば２本以上の素線からなるものでも良い。但し、本実施形態の凸凹部１５ｗの効果の観点からは、可能な限り多い本数で撚線を構成する方が良い。
【００５３】
また、本実施形態において、側線１５は、芯線７の外周に疎巻きに巻回されているものとして説明してきたが、側線１５は、芯線７の外周に密巻きに巻回されても良い。その場合は、側線１５を芯線７の外周に疎巻きに巻回したときよりも、造影糸のガーゼからの離脱防止の効果は若干低下する。
【００５４】
（第３実施形態）
次に、本発明の第３実施形態について説明する。図４は、第３実施形態の造影糸の拡大側面図である。
【００５５】
以下、本発明の第３実施形態を説明するが、本実施形態の造影糸が配置されたガーゼは、第１実施形態のガーゼ１００と同様である為説明を省略し、第１実施形態と共通する部分については、同じ符号を付し説明を省略する。
【００５６】
図４に示すように、造影糸２１は、芯線２７と、その芯線２７の外周に疎巻きに巻回された側線２５とから構成されている。
【００５７】
なお、本実施形態の造影糸２１も、放射線不透過性を有する必要があり、芯線２７及び側線２５のうち、少なくとも一方が放射線不透過性である必要があるが、本実施形態では、後述するように、芯線２７及び側線２５が放射線不透過性を有するものとして説明する。
【００５８】
芯線２７は、４本の素線２７ａ、２７ｂ、２７ｃ及び２７ｄ（本発明の「第２の素線」に相当）並びに、２本の放射線不透過性の素線２８ａ及び２８ｂ（本発明の「第２の素線」に相当）を撚って構成された撚線２７（本発明の「第２の撚線」に相当）である。
【００５９】
また、撚線２７は、その外形によって凸凹部２７ｗが形成され、凸凹部２７ｗは撚線２７の全外周面に形成されている。また、凸凹部２７ｗは、その凸部及び凹部が芯線２７の長軸方向に対して垂直傾向に並行している。
【００６０】
側線２５（以下、「撚線２５」と記す）は、複数の素線（本発明の「第１の素線」に相当）を撚った撚線２５（本発明の「第１の撚線」に相当）から構成され、本実施形態では、５本の素線２５ａ、２５ｂ、２５ｃ、２５ｄ及び２５ｅ（本発明の「第１の素線」に相当）並びに、２本の放射線不透過性の素線２９ａ及び２９ｂ（本発明の「第１の素線」に相当）を撚って構成されたものである。
【００６１】
また、撚線２５の撚り方向は、Ｚ撚りであり、撚線２５の芯線２７に対する巻き方向は、Ｚ巻きであり、撚線２５の撚り方向と撚線２５の芯線２７に対する巻き方向とは同一方向である。
【００６２】
また、撚線２５は、その外形によって凸凹部２５ｗが形成され、凸凹部２５ｗは撚線２５の全外周面に形成されている。また、凸凹部２５ｗは、凸部及び凹部が芯線２７の長軸方向に対して略垂直な方向に沿って延び、かつ長軸方向に並行している。
【００６３】
また、撚線２７を構成する４本の素線２７ａ、２７ｂ、２７ｃ及び２７ｄの材料、及び撚線２５を構成する５本の素線２５ａ、２５ｂ、２５ｃ、２５ｄ及び２５ｅの材料としては、第１実施形態の撚線５の素線５ａ、５ｂ、５ｃ、５ｄ及び５ｅと同様の材料が使用可能であり、本実施形態ではポリ塩化ビニルが使用されている。
【００６４】
また、撚線２７を構成する２本の放射線不透過性の素線２８ａ及び２８ｂの材料、及び撚線２５を構成する２本の放射線不透過性の素線２９ａ及び２９ｂの材料としては、第１実施形態の撚線５の素線９ａ及び９ｂと同様の材料が使用可能であり、本実施形態では硫酸バリウムを含有するポリ塩化ビニルが使用されている。
【００６５】
本実施形態の造影糸２１によれば、芯線２７と、その芯線２７の外周に巻回された側線２５とを備え、芯線２７および側線２５のうち少なくとも一方が放射線不透過性の素線からなり、側線２５は、複数の素線２５ａ、２５ｂ、２５ｃ、２５ｄ、２５ｅ、２９ａ及び２９ｂを撚った撚線２５から構成され、撚線２５の外周に形成された凸凹部２５ｗは、その凸部及び凹部が芯線２７の長軸方向に対して略垂直な方向に沿って延び、かつ長軸方向に並行しており、さらに、芯線２７は、複数の素線２７ａ、２７ｂ、２７ｃ２７ｄ、２８ａ及び２８ｂを撚って構成された撚線２７から構成されているので、造影糸２１がガーゼ１００から離脱することをさらに防止することができる。
【００６６】
なお、本実施形態でも、側線である撚線２５は、７本の素線からなる撚線としたが、素線の本数は７本に限らず、撚線を構成することができる本数であれば２本以上の素線からなるものでも良い。但し、本実施形態の凸凹部２５ｗの効果の観点からは、可能な限り多い本数で撚線を構成する方が良い。
【００６７】
また、本実施形態では、芯線である撚線２７も、６本の素線からなる撚線としたが、素線の本数は６本に限らず、撚線を構成することができる本数であれば２本以上の素線からなるものでも良い。但し、本実施形態の凸凹部２７ｗの効果の観点からは、可能な限り多い本数で撚線を構成する方が良い。
【００６８】
また、本実施形態において、側線２５は、芯線２７の外周に疎巻きに巻回されているものとして説明してきたが、側線２５は、芯線２７の外周に密巻きに巻回されても良い。その場合は、側線２５を芯線２７の外周に疎巻きに巻回したときよりも、造影糸のガーゼからの離脱防止の効果は若干低下する。
【００６９】
（第４実施形態）
次に、本発明の第４実施形態について説明する。図５は、第４実施形態の造影糸の拡大横断面図である。
【００７０】
以下、本発明の第４実施形態を説明するが、本実施形態の造影糸が配置されたガーゼは、第１実施形態のガーゼ１００と同様である為説明を省略し、第１実施形態と共通する部分については、同じ符号を付し説明を省略する。
【００７１】
図５に示すように、造影糸３１は、芯線３７と、その芯線３７の外周に疎巻きに巻回された側線５とから構成されている。
【００７２】
なお、本実施形態の造影糸３１も、放射線不透過性を有する必要があり、芯線３７及び側線５のうち、少なくとも一方が放射線不透過性である必要があるが、本実施形態では、後述するように、側線５が放射線不透過性を有するものとして説明する。また、本実施形態においても、芯線３７が放射線不透過性を有するものであっても良い。
【００７３】
芯線３７は、１本の素線から構成され、横断面の断面円周上に凹部３６を有しており、その凹部３６は、芯線３７の長手方向に向かって螺旋状に形成されている。そして、側線５は、芯線３７の長手方向に螺旋状に形成された凹部３６内に沿うように、芯線３７の外周に疎巻きに巻回されている。
【００７４】
なお、撚線５は、その外形によって凸凹部５ｗが形成され、凸凹部５ｗは撚線５の全外周面に形成されている。また、凸凹部５ｗは、その凸部及び凹部が芯線３７の長軸方向に対して垂直傾向に並行している。
【００７５】
また、撚線５の撚り方向は、Ｚ撚りであり、撚線５の芯線３７に対する巻き方向は、Ｚ巻きであり、撚線５の撚り方向と撚線５の芯線３７に対する巻き方向とは同一方向である。
【００７６】
また、芯線３７の材料としては、ステンレス鋼、Ｎｉ−Ｔｉ系合金、コバルト系合金等の金属材料、またはポリアリレート繊維等のポリエステル系繊維等の樹脂材料であって、生体適合性を有する材料であれば特に限定されないが、本実施形態ではステンレス鋼が使用されている。
【００７７】
本実施形態の造影糸３１によれば、芯線３７と、その芯線３７の外周に巻回された側線５とを備え、芯線３７および側線５のうち少なくとも一方が放射線不透過性の素線からなり、側線５は、複数の素線５ａ、５ｂ、５ｃ、５ｄ及び５ｅ、並びに、放射線不透過性の素線９ａ及び９ｂを撚った撚線５から構成され、撚線５の外周に形成された凸凹部５ｗは、その凸部及び凹部が芯線３７の長軸方向に対して垂直傾向に並行し、さらに、芯線３７は、その横断面視において凹部３６を有し、側線５は、凹部３６に収納されているので、側線５が芯線３７からズレることが防止され、造影糸３１がガーゼ１００から離脱することをさらに防止することができる。
【００７８】
なお、本実施形態でも、側線である撚線５は、７本の素線からなる撚線としたが、素線の本数は７本に限らず、撚線を構成することができる本数であれば２本以上の素線からなるものでも良い。但し、本実施形態の凸凹部５ｗの効果の観点からは、可能な限り多い本数で撚線を構成する方が良い。
【００７９】
また、本実施形態では、使用する側線を第１実施形態の側線５として説明してきたが、それに限られるものではなく、側線は、第２実施形態の側線１５であっても良く、第３実施形態の側線２５であっても良い。
【００８０】
また、本実施形態では、芯線３７を１本の素線としたが、素線の本数は１本に限らず、複数の素線からなる撚線であっても良い。しかしながら、芯線を１本の素線とした方が凹部を形成し易くなる。
【００８１】
さらに、本実施形態において、側線５は、芯線３７の外周に疎巻きに巻回されているものとして説明してきたが、側線５は、芯線３７の外周に密巻きに巻回されても良い。その場合は、凹部３６を芯線３７の表面に密に形成する必要がある。
【００８２】
（第５実施形態）
次に、本発明の第５実施形態について説明する。図６は、第５実施形態の造影糸の拡大横断面図である。
【００８３】
以下、本発明の第５実施形態を説明するが、本実施形態の造影糸が配置されたガーゼは、第１実施形態のガーゼ１００と同様である為説明を省略し、第１実施形態と共通する部分については、同じ符号を付し説明を省略する。
【００８４】
図６に示すように、造影糸４１は、芯線４７と、その芯線４７の外周に疎巻きに巻回された側線５とから構成されている。
【００８５】
なお、本実施形態の造影糸４１も、放射線不透過性を有する必要があり、芯線４７及び側線５のうち、少なくとも一方が放射線不透過性である必要があるが、本実施形態では、後述するように、側線５が放射線不透過性を有するものとして説明する。また、本実施形態においても、芯線４７が放射線不透過性を有するものであっても良い。
【００８６】
芯線４７は、１本の素線から構成されている。そして、側線５は、芯線４７の表面に、芯線４７の長手方向に向かって螺旋状に溶着部４８で溶着され、芯線４７の外周に疎巻きに巻回されている。
【００８７】
なお、撚線５は、その外形によって凸凹部５ｗが形成され、凸凹部５ｗは撚線５の全外周面に形成されている。また、凸凹部５ｗは、その凸部及び凹部が芯線４７の長軸方向に対して垂直傾向に並行している。
【００８８】
また、撚線５の撚り方向は、Ｚ撚りであり、撚線５の芯線４７に対する巻き方向は、Ｚ巻きであり、撚線５の撚り方向と撚線５の芯線４７に対する巻き方向とは同一方向である。
【００８９】
また、芯線４７の材料としては、ステンレス鋼、Ｎｉ−Ｔｉ系合金、コバルト系合金等の金属材料、またはポリアリレート繊維等のポリエステル系繊維等の樹脂材料であって、生体適合性を有する材料であれば特に限定されないが、本実施形態ではステンレス鋼が使用されている。
【００９０】
本実施形態の造影糸４１によれば、芯線４７と、その芯線４７の外周に巻回された側線５とを備え、芯線４７および側線５のうち少なくとも一方が放射線不透過性の素線からなり、側線５は、複数の素線５ａ、５ｂ、５ｃ、５ｄ及び５ｅ、並びに、放射線不透過性の素線９ａ及び９ｂを撚った撚線５から構成され、撚線５の外周に形成された凸凹部５ｗは、その凸部及び凹部が芯線４７の長軸方向に対して垂直傾向に並行し、さらに、撚線５は、芯線４７に溶着されているので、撚線５が芯線４７に固定され、造影糸４１がガーゼ１００から離脱することをさらに防止することができる。
【００９１】
なお、本実施形態でも、側線である撚線５は、７本の素線からなる撚線としたが、素線の本数は７本に限らず、撚線を構成することができる本数であれば２本以上の素線からなるものでも良い。但し、本実施形態の凸凹部５ｗの効果の観点からは、可能な限り多い本数で撚線を構成する方が良い。
【００９２】
また、本実施形態では、使用する側線を第１実施形態の側線５として説明してきたが、それに限られるものではなく、側線は、第２実施形態の側線１５であっても良く、第３実施形態の側線２５であっても良い。
【００９３】
また、本実施形態では、芯線４７を１本の素線としたが、素線の本数は１本に限らず、複数の素線からなる撚線であっても良い。
【００９４】
さらに、本実施形態において、側線５は、芯線４７の外周に疎巻きに巻回されているものとして説明してきたが、側線５は、芯線４７の外周に密巻きに巻回されても良い。
【００９５】
（第６実施形態）
次に、本発明の第６実施形態について説明する。図７は、第６実施形態の造影糸の拡大横断面図である。
【００９６】
本実施形態は、芯線と、その芯線の外周に巻回された側線とを備え、前記芯線および前記側線のうち少なくとも一方が放射線不透過性の素線からなる造影糸において、前記芯線は、その横断面視において凹部を有し、前記側線は、前記凹部に収納されていることを特徴とする造影糸である。
【００９７】
以下、本発明の第６実施形態を説明するが、本実施形態の造影糸が配置されたガーゼは、第１実施形態のガーゼ１００と同様である為説明を省略し、第１実施形態と共通する部分については、同じ符号を付し説明を省略する。
【００９８】
図７に示すように、造影糸５１は、芯線５７と、その芯線５７の外周に疎巻きに巻回された側線５５とから構成されている。
【００９９】
なお、本実施形態の造影糸５１も、放射線不透過性を有する必要があり、芯線５７及び側線５５のうち、少なくとも一方が放射線不透過性である必要があるが、本実施形態では、後述するように、側線５５が放射線不透過性を有するものとして説明する。また、本実施形態においても、芯線５７が放射線不透過性を有するものであっても良い。
【０１００】
芯線５７は、１本の素線から構成され、横断面の断面円周上に凹部５６を有しており、その凹部５６は、芯線５７の長手方向に向かって螺旋状に形成されている。そして、側線５５は、芯線５７の長手方向に螺旋状に形成された凹部５６内に沿うように、芯線５７の外周に疎巻きに巻回されている。
【０１０１】
また、芯線５７の材料としては、ステンレス鋼、Ｎｉ−Ｔｉ系合金、コバルト系合金等の金属材料、またはポリアリレート繊維等のポリエステル系繊維等の樹脂材料であって、生体適合性を有する材料であれば特に限定されないが、本実施形態ではステンレス鋼が使用されている。
【０１０２】
また、側線５５も、１本の素線から構成されており、側線５５の材料としては、金、銀、プラチナ合金、タングステン等の金属材料、または硫酸バリウム等の放射線不透過性の材料を含有したポリ塩化ビニル、ポリエチレン、ポリプロピレン、ポリエステル等の樹脂材料であって、生体適合性を有する材料であれば特に限定されないが、本実施形態では硫酸バリウムを含有するポリ塩化ビニルが使用されている。
【０１０３】
本実施形態の造影糸５１によれば、芯線５７と、その芯線５７の外周に巻回された側線５５とを備え、芯線５７および側線５５のうち少なくとも一方が放射線不透過性の素線からなり、芯線５７は、その横断面視において凹部５６を有し、側線５５は、凹部５６に収納されているので、側線５５が芯線５７からズレることが防止され、造影糸５１がガーゼ１００から離脱することをさらに防止することができる。
【０１０４】
なお、本実施形態では、芯線５７を１本の素線としたが、素線の本数は１本に限らず、複数の素線からなる撚線であっても良い。しかしながら、芯線を１本の素線とした方が凹部を形成し易くなる。
【０１０５】
さらに、本実施形態において、側線５５は、芯線５７の外周に疎巻きに巻回されているものとして説明してきたが、側線５５は、芯線５７の外周に密巻きに巻回されても良い。その場合は、凹部５６を芯線５７の表面に密に形成する必要がある。
【０１０６】
（第７実施形態）
次に、本発明の第７実施形態について説明する。図８は、第７実施形態の造影糸の拡大横断面図である。
【０１０７】
本実施形態は、芯線と、その芯線の外周に巻回された側線とを備え、前記芯線および前記側線のうち少なくとも一方が放射線不透過性の素線からなる造影糸において、前記側線は、前記芯線に溶着されていることを特徴とする造影糸である。
【０１０８】
以下、本発明の第７実施形態を説明するが、本実施形態の造影糸が配置されたガーゼは、第１実施形態のガーゼ１００と同様である為説明を省略し、第１実施形態と共通する部分については、同じ符号を付し説明を省略する。
【０１０９】
図８に示すように、造影糸６１は、芯線６７と、その芯線６７の外周に疎巻きに巻回された側線６５とから構成されている。
【０１１０】
なお、本実施形態の造影糸６１も、放射線不透過性を有する必要があり、芯線６７及び側線６５のうち、少なくとも一方が放射線不透過性である必要があるが、本実施形態では、後述するように、側線６５が放射線不透過性を有するものとして説明する。また、本実施形態においても、芯線６７が放射線不透過性を有するものであっても良い。
【０１１１】
芯線６７は、１本の素線から構成されている。そして、側線６５は、芯線６７の表面に、芯線６７の長手方向に向かって螺旋状に溶着部６８で溶着され、芯線６７の外周に疎巻きに巻回されている。
【０１１２】
また、芯線６７の材料としては、ステンレス鋼、Ｎｉ−Ｔｉ系合金、コバルト系合金等の金属材料、またはポリアリレート繊維等のポリエステル系繊維等の樹脂材料であって、生体適合性を有する材料であれば特に限定されないが、本実施形態では一束のポリアリレート繊維であるベクトラン（登録商標）が使用されている。
【０１１３】
側線６５も、１本の素線から構成されており、側線６５の材料としては、金、銀、プラチナ合金、タングステン等の金属材料、または硫酸バリウム等の放射線不透過性の材料を含有したポリ塩化ビニル、ポリエチレン、ポリプロピレン、ポリエステル等の樹脂材料であって、生体適合性を有する材料であれば特に限定されないが、本実施形態では硫酸バリウムを含有するポリ塩化ビニルが使用されている。
【０１１４】
本実施形態の造影糸６１によれば、芯線６７と、その芯線６７の外周に巻回された側線６５とを備え、芯線６７および側線６５のうち少なくとも一方が放射線不透過性の素線からなり、側線６５は、芯線６７に溶着されているので、側線６５が芯線６７に固定され、造影糸６１がガーゼ１００から離脱することをさらに防止することができる。
【０１１５】
なお、本実施形態では、芯線６７を１本（１束）の素線としたが、素線の本数は１本（１束）に限らず、複数の素線からなる撚線であっても良い。
【０１１６】
また、本実施形態において、側線６５は、芯線６７の外周に疎巻きに巻回されているものとして説明してきたが、側線６５は、芯線６７の外周に密巻きに巻回されても良い。
【０１１７】
以上、本発明の各種実施形態の造影糸について説明してきたが、本発明は上記の実施形態に限られるものではなく、その要旨を逸脱しない範囲において種々変更して実施することが可能である。
【０１１８】
例えば、上述の実施形態においては、説明の都合上、造影糸を、直線状の芯線と、その直線状の芯線の外周に螺旋状に巻回された側線として説明してきたが、上述した効果を想定し得るものであれば、芯線と側線とが相互に螺旋状に絡み合った造影糸であっても良い。
【０１１９】
また、上述の実施形態においては、本発明の造影糸をガーゼに適用した例を説明してきたが、ガーゼに限定されるものではなく、本発明の造影糸は、パッド、脱脂綿等の種々の医療用被覆用品に適用可能である。
【符号の説明】
【０１２０】
１，４，１１，２１，３１，４１，５１，６１・・・造影糸
２・・・緯糸
３・・・経糸
５，１５，２５，５５，６５・・・側線
７，２７，３７，４７，５７，６７・・・芯線
９，１９，２８，２９・・・放射線不透過素線
３６，５６・・・凹部
４８，６８・・・溶着部
１００・・・ガーゼ
【図１】
2019201885.tif 000003
【図２】
2019201885.tif 000004
【図３】
2019201885.tif 000005
【図４】
2019201885.tif 000006
【図５】
2019201885.tif 000007
【図６】
2019201885.tif 000008
【図７】
2019201885.tif 000009
【図８】
2019201885.tif 000010